(57)【要約】【課題】  本発明は、歯科技工切削加工作業用の切削屑片の吸引ブラシ、とくに義歯切削加工作業用の切削屑片の吸引義歯ブラシを提供することを目的とし、さらには、歯科技工切削加工作業環境、とくに義歯切削加工作業環境をクリーンに維持することのできる吸引ブラシ、とくに吸引義歯ブラシを提供することを目的とする。【解決手段】    本発明は、歯科技工切削加工作業、とくに義歯切削加工作業の際に、少なくとも片面にブリストルが植え込まれたブロックヘッドを有するブラシと、歯科技工室または歯科診察室には常備的に備わっている吸引手段に連結され得る吸引パイプとを着脱自在な取り付け手段を用いて取り付けた吸引ブラシとすることにより、この課題が解決できる。【選択図】図２
2008079925.tif 000002
【特許請求の範囲】
【請求項１】
少なくとも片面にブリストルが植え込まれたブロックヘッドと、該ブロックヘッドの央部に、該ブリストル植え込み面に貫通した貫通孔とから構成され、該貫通孔に、吸引手段に連結される吸引パイプの一端を着脱自在に取り付け得る構造とすることを特徴とする吸引ブラシ。
【請求項２】
少なくとも片面にブリストルが植え込まれたブロックヘッドと該ブロックヘッドに一体的に配設されたグリップからなり、該ブロックヘッドの央部に、該ブリストル植え込み面に貫通した貫通孔とから構成され、該貫通孔に、吸引手段に連結される吸引パイプの一端を着脱自在に取り付け得る構造とすることを特徴とする吸引ブラシ。
【請求項３】
少なくとも片面にブリストルが植え込まれたブロックヘッドと該ブロックヘッドに一体的に配設されたグリップと、該ブロックヘッドのブリストル植え込み面の央部から該グリップの先端部もしくはその中間部に貫通する貫通孔または中空構造とから構成され、該グリップの貫通孔または中空構造の端部に、吸引手段を着脱自在に取り付け得る構造としたことを特徴とする吸引ブラシ。
【請求項４】
該ブロックヘッドの少なくとも一方の面が扁平面であり、扁平面にブリストルが植え込まれたブロックヘッドであることを特徴とする請求項１ないし３のいずれかに記載の吸引ブラシ。
【請求項５】
該ブロックヘッドの片面に植え込まれた該ブリストルとは別にブロックヘッドの異なる箇所またはグリップに補助ブリストルが植え込み配設されていることを特徴とする請求項１ないし４のいずれかに記載の吸引ブラシ。
【請求項６】
該貫通孔に、吸引手段に連結される吸引パイプの一端を着脱自在に取り付け得る取り付け手段を用いて取り付けたこと特徴とする請求項１、請求項２、請求項４または請求項５のいずれかに記載の吸引ブラシ。
【請求項７】
該グリップの貫通孔または中空構造の端部に、吸引手段を着脱自在に取り付け得る取り付け手段を用いて接続構造としたことを特徴とする請求項３、請求項４または請求項５のいずれかに記載の吸引ブラシ。
【請求項８】
着脱自在に取り付け得る取り付け手段が押し込み構造、ネジ構造またはばね式ソケット構造である請求項１ないし請求項７のいずれかに記載の吸引ブラシ。
【請求項９】
請求項1、請求項４、請求項５または請求項６のいずれかに記載の歯科技工切削加工作業の切削屑片を吸引可能な吸引ブラシ。
【請求項１０】
請求項２、請求項３、請求項４、請求項５、請求項６または請求項７のいずれかに記載の義歯切削加工作業の切削屑片を吸引可能な吸引義歯ブラシ。
【発明の詳細な説明】
【技術分野】
【０００１】
本発明は、歯科技工切削加工作業用の切削屑片の吸引ブラシ、とくに義歯切削加工作業用の切削屑片の吸引義歯ブラシに関する。さらには、歯科技工切削加工作業環境、とくに義歯切削加工作業環境をクリーンに維持することのできる吸引ブラシに関する。
【背景技術】
【０００２】
歯科治療において、歯科技工切削加工作業、とくに義歯切削加工作業には、義歯の作製、改造修正、調整する場合に、多くは義歯を切削する作業が生じる。この切削作業の際に、切削屑片が多く発生し、義歯および義歯を持っている術者の手または衣服に付着してくる。従来は、技工室または診療室では、この切削屑片を圧搾空気で吹き飛ばしていたが、切削屑片が飛散し、技工室または診療室の環境を悪化させることが問題点としてあげられる。この問題点を改善する方法として、切削作業の際に、吸引装置の前で切削作業を行っても、義歯および義歯を持っている術者の手または衣服には切削屑片が静電気の帯電で付着してくることは避けられず、最終的には圧搾空気で吹き飛ばす方法しかなかった。
【０００３】
文献1、文献2、文献3、文献4および文献５には、歯科用ブラシ、とくに義歯ブラシが開示されている。しかし、これらの先行技術でも上記問題点を改善することはできなかった。
【特許文献１】特開平７−２８２３９３号公報
【特許文献２】特開平８−２２４１２４号公報
【特許文献３】特開２０００−２６２３２８号公報
【特許文献４】登録実用新案第３０３３０８３号公報
【特許文献５】登録実用新案第３０７０５５２号公報
【発明の開示】
【発明が解決しようとする課題】
【０００４】
本発明は、歯科技工切削加工作業用の切削屑片の吸引ブラシ、とくに義歯切削加工作業用の切削屑片の吸引義歯ブラシを提供することを目的とする。さらには、歯科技工切削加工作業環境、とくに義歯切削加工作業環境をクリーンに維持することのできる吸引ブラシ、とくに吸引義歯ブラシを提供することを目的とする。
【課題を解決するための手段】
【０００５】
本発明者らは上記課題を解決するために、臨床的に鋭意検討を重ねた結果、歯科技工切削加工作業、とくに義歯切削加工作業の際に、少なくとも片面にブリストルが植え込まれたブロックヘッドを有するブラシと、歯科技工室または歯科診療室には常備的に備わっている吸引手段に連結され得る吸引パイプとを着脱自在な取り付け手段を用いて取り付けた吸引ブラシとすることにより、この課題が解決できることを見出し、本発明を完成するに至った。
【０００６】
すなわち、本発明は、下記［１］ないし［１０］の具体的な内容から構成されるものである。
［１］  少なくとも片面にブリストルが植え込まれたブロックヘッドと、該ブロックヘッドの央部に、該ブリストル植え込み面に貫通した貫通孔とから構成され、該貫通孔に、吸引手段に連結される吸引パイプの一端を着脱自在に取り付け得る構造とすることを特徴とする吸引ブラシ。
［２］  少なくとも片面にブリストルが植え込まれたブロックヘッドと該ブロックヘッドに一体的に配設されたグリップからなり、該ブロックヘッドの央部に、該ブリストル植え込み面に貫通した貫通孔とから構成され、該貫通孔に、吸引手段に連結される吸引パイプの一端を着脱自在に取り付け得る構造とすることを特徴とする吸引ブラシ。
［３］  少なくとも片面にブリストルが植え込まれたブロックヘッドと該ブロックヘッドに一体的に配設されたグリップと、該ブロックヘッドのブリストル植え込み面の央部から該グリップの先端部もしくはその中間部に貫通する貫通孔または中空構造とから構成され、該グリップの貫通孔または中空構造の端部に、吸引手段を着脱自在に取り付け得る構造としたことを特徴とする吸引ブラシ。
［４］  該ブロックヘッドの少なくとも一方の面が扁平面であり、扁平面にブリストルが植え込まれたブロックヘッドであることを特徴とする上記［１］ないし［３］のいずれかに記載の吸引ブラシ。
［５］  該ブロックヘッドの片面に植え込まれた該ブリストルとは別にブロックヘッドの異なる箇所またはグリップに補助ブリストルが植え込み配設されていることを特徴とする上記［１］ないし［４］のいずれかに記載の吸引ブラシ。
［６］  該貫通孔に、吸引手段に連結される吸引パイプの一端を着脱自在に取り付け得る取り付け手段を用いて取り付けたこと特徴とする上記［１］、［２］、［４］または［５］のいずれかに記載の吸引ブラシ。
［７］  該グリップの貫通孔または中空構造の端部に、吸引手段を着脱自在に取り付け得る取り付け手段を用いて接続構造としたことを特徴とする上記［３］、［４］または［５］のいずれかに記載の吸引ブラシ。
［８］  着脱自在に取り付け得る取り付け手段が押し込み構造、ネジ構造またはばね式ソケット構造である上記［１］ないし［７］のいずれかに記載の吸引ブラシ。
［９］  上記［1］、［４］、［５］または［６］のいずれかに記載の歯科技工切削加工作業の切削屑片を吸引可能な吸引ブラシ。
［１０］  上記［２］、［３］、［４］、［５］、［６］または［７］のいずれかに記載の義歯切削加工作業の切削屑片を吸引可能な吸引義歯ブラシ。
【発明の効果】
【０００７】
本発明の吸引ブラシ、とくに吸引義歯ブラシを、歯科技工切削加工作業、とくに義歯切削加工作業において採用することにより、切削屑片を歯科技工室または歯科診療室に飛散させることなく、歯科技工切削加工作業環境、とくに義歯切削加工作業環境をクリーンに維持することができる。
【発明を実施するための最良の形態】
【０００８】
本発明の第一の実施形態の吸引ブラシは、少なくとも一方の面が扁平なブリストル植込み面１ａであり、ブリストル植込み面１ａにブリストル２が植え込まれたブロックヘッド１と、該ブロックヘッド１の央部に、該ブリストル植え込み面１ａの反対面から該ブリストル植え込み面の開口８に達する貫通孔３を有するものである。このブロックヘッド１は通常扁平状の形状が好ましいが、構造的な強度の観点からリブ構造が採用されていてもよい。吸引ブラシ構造のブロックヘッド１は通常ポリエチレン、ポリプロピレン、アクリル樹脂、ポリエステル、ＡＢＳ樹脂などの合成樹脂で成型されている。  本発明の第一の実施形態の吸引ブラシのブロックヘッド１には、その少なくとも扁平面の片面１ａにブリストル２が植毛されている。ブリストルの材質は通常のブラシに使用されているナイロン等のポリアミドなどの弾力性のある合成樹脂が好ましい。
【０００９】
本発明の第一の実施形態の吸引ブラシのブロックヘッドの少なくとも一方の面が扁平面の央部には、該扁平状のブリストル植え込み面１ａの反対面から該ブリストル植え込み面の開口８に達する貫通孔３が配設されており、該貫通孔３には、吸引手段に連結され得る吸引パイプ４の一端部５を着脱自在に取り付け得る取り付け手段を用いて取り付けたものである。貫通孔３の開口８は本発明の吸引ブラシのブロックヘッドの扁平面の央部に位置しているが、真の中央部に位置している必要はなく、周囲が植毛ブリストルで囲まれている限り、ブロックヘッドの扁平面の上下、左右に片寄って位置していても差し支えない。
【００１０】
吸引手段は、歯科技工室または歯科診療室に通常に常備されている吸引装置に連結され得るので容易に利用でき、吸引パイプ４はこの吸引手段に連結すればよい。
【００１１】
本発明の第一の実施形態の吸引ブラシにおいて、吸引手段に連結される吸引パイプ４の一端部５を、ブロックヘッドの央部の貫通孔３に着脱自在に取り付け得る取り付け手段を用いて取り付け可能にしたものである。ブロックヘッドの央部の貫通孔３に着脱自在に取り付け得る取り付け手段としては、押し込み構造、ネジ構造、ばね式ソケット構造などが例示できる。取り付け手段として、図３においては、ブロックヘッドの央部の貫通孔３の開口８に接続される吸引パイプ４の一端部５の差込口にねじ込まれるネジ部４ａが例示されているが、押し込み構造、ネジ構造、ばね式ソケット構造のいずれも採用できる。
【００１２】
本発明の第一の実施形態の吸引ブラシにおいて、吸引手段に連結され得る吸引パイプ４の材質は特に限定される必要はなく、ステンレス、アルミニウム、銅、真鍮などの金属、ポリエチレン、ポリプロピレン、ＡＢＳ樹脂などの合成樹脂などが例示できる。
【００１３】
ブロックヘッド１にグリップ（ハンドル）が配設されていない本発明の第一の実施形態の吸引ブラシのものは、吸引ブラシとして、義歯の切削加工以外の用途、たとえば、歯科技工の際の作業台、工具、衣服または床に飛散した切削屑のクリーニングに好都合である。
【００１４】
本発明の第二の実施形態の吸引ブラシのブロックヘッド１には、通常グリップ（ハンドル）６が一体的に配設されている。グリップ（ハンドル）６は前記ブロックヘッド１と同じ材質で構成されていてもよいし、異なる材質で構成されていてもよいが、通常ブロックヘッド１とグリップ（ハンドル）６が同じ材質で一体的に成形されたものが好適である。このようにブロックヘッド１にグリップ（ハンドル）６が一体的に配設されたブラシは通常義歯ブラシとして市販されているものがあり、たとえば前記文献１ないし文献５に例示された義歯ブラシなどが知られている。したがって、本発明の吸引ブラシは、これらの従来から公知の義歯ブラシを改造して作製することもできる。
【００１５】
本発明の第二の実施形態の吸引ブラシのブロックヘッド１においても、少なくとも一方の面が扁平面である構造のものが好ましい。扁平面１ａにブリストル２が植え込まれたブロックヘッド１の扁平面央部には、該扁平状のブリストル植え込み面１ａの反対面から該ブリストル植え込み面の開口８に達する貫通孔３が配設されており、該貫通孔３には、吸引手段に連結される吸引パイプ４の一端部５を着脱自在に取り付け得る第１の実施形態の取付手段と同じ取り付け手段を用いて取り付けたものである。このブロックヘッド１は少なくとも一方の面が扁平面である構造のものが好ましいが、構造的な強度の観点からリブ構造が採用されていてもよい。吸引ブラシのブロックヘッド１は通常ポリエチレン、ポリプロピレン、アクリル樹脂、ポリエステル、ＡＢＳ樹脂などの合成樹脂で成型されている。
【００１６】
本発明の第二の実施形態の吸引ブラシのブロックヘッド１にも、その少なくとも扁平面１ａの片面にブリストル２が植毛されている。ブリストルの材質は通常のブラシに使用されているナイロン等のポリアミドなどの弾力性のある合成樹脂が好ましい。
【００１７】
本発明の第二の実施形態の吸引ブラシのブロックヘッドにおいても、貫通孔３の開口８は扁平面の央部に位置しているが、真の中央部に位置している必要はなく、周囲が植毛ブリストルで囲まれている限り、ブロックヘッドの扁平面の上下、左右に片寄って位置していても差し支えない。
【００１８】
吸引手段は、歯科技工室または歯科診療室に通常に常備されている吸引装置に連結されるので容易に利用でき、吸引パイプ４はこの吸引手段に連結すればよい。
【００１９】
本発明の第二の実施形態の吸引ブラシにおいても、吸引手段に連結された吸引パイプ４の一端部５は、ブロックヘッドの央部の貫通孔３に着脱自在に取り付け得る取り付け手段４ａを用いて取り付け可能にしたものである。ブロックヘッドの央部の貫通孔３に着脱自在に取り付け得る取り付け手段としては、押し込み構造、ネジ構造、ばね式ソケット構造などが例示できる。該取り付け手段として、図２においては、ブロックヘッドの央部の開口８に達する貫通孔３に接続される吸引パイプ４の一端部５の差込口にはネジ部４ａが例示されているが、押し込み構造、ネジ構造、ばね式ソケット構造のいずれも採用できる。
【００２０】
本発明の第二の実施形態の吸引ブラシにおいて、吸引手段に連結され得る吸引パイプ４の材質は特に限定される必要はなく、ステンレス、アルミニウム、銅、真鍮などの金属、ポリエチレン、ポリプロピレン、ＡＢＳ樹脂などの合成樹脂などが例示できる。
【００２１】
本発明の第二の実施形態の吸引ブラシのブロックヘッド１にグリップ（ハンドル）６が一体的に配設されているものは、吸引義歯ブラシとして、義歯の切削加工用途に好都合である。本発明の第二の吸引ブラシは、吸引義歯ブラシとしての用途に卓越した性能と効果を発揮することができる。吸引パイプ４を外せば、通常の義歯ブラシとして、使用することができる。
【００２２】
本発明の第三の実施形態の吸引ブラシ（図４）は、少なくとも片面にブリストル２が植え込まれたブロックヘッド１１と該ブロックヘッドに一体的に配設されたグリップ１６からなり、かつ該ブロックヘッド１１のブリストル植え込み面１１ａの央部の開口８から該グリップ１６の先端部もしくはその中間部に達する貫通孔または中空構造を有し、該グリップの貫通孔１３または中空構造１３の一端部１５に、吸引手段に連結される吸引パイプ１４を着脱自在に取り付け得る取り付け手段１４ａを用いて接続構造としたしたものである。
【００２３】
本発明の第三の実施形態の吸引ブラシにおいては、ブロックヘッド１１には、グリップ（ハンドル）１６が一体的に配設されている。グリップ（ハンドル）１６は前記ブロックヘッド１１と同じ材質で構成されていてもよいし、異なる材質で構成されていてもよいが、通常ブロックヘッド１１とグリップ（ハンドル）１６が同じ材質で一体的に成形されたものが好適である。
【００２４】
このブロックヘッド１１は少なくとも一方の面が扁平面である構造のものが好ましいが、構造的な強度の観点からリブ構造が採用されていてもよい。吸引ブラシ構造のブロックヘッド１１は通常ポリエチレン、ポリプロピレン、アクリル樹脂、ポリエステル、ＡＢＳ樹脂などの合成樹脂で成型されている。
【００２５】
本発明の第三の実施形態の吸引ブラシのブロックヘッド１１にも、その少なくとも扁平面の片面にブリストル２が植毛されている。ブリストルの材質は通常のブラシに使用されているナイロン等のポリアミドなどの弾力性のある合成樹脂が好ましい。
【００２６】
本発明の第三の実施形態の吸引ブラシのブロックヘッド１１においても、貫通孔１３の開口８は扁平面の央部に位置しているが、真の中央部に位置している必要はなく、周囲が植毛ブリストル２で囲まれている限り、ブロックヘッド１１の扁平面の上下、左右に片寄って位置していても差し支えない。
【００２７】
本発明の第三の実施形態の吸引ブラシにおいて、該ブロックヘッド１１のブリストル植え込み面１１ａの央部から該グリップの先端部もしくはその中間部に、開口８に達する貫通孔または中空構造（図４では貫通孔１３）を有し、該グリップの貫通孔または中空構造の一端部に、吸引手段（吸引パイプ１４）を着脱自在に取り付け得る取り付け手段を用いて接続したものである。着脱自在に取り付け得る取り付け手段としては、押し込み構造、ネジ構造、ばね式ソケット構造などが例示できる。図４では、ブロックヘッドの央部の開口８に達する貫通孔１３の一端部１５に吸引パイプ１４を押し込みによって接続した構造のものが例示されているが、ネジ構造、ばね式ソケット構造のいずれも採用できる。
【００２８】
吸引手段に連結される吸引パイプ１４は、歯科技工室または歯科診療室に通常に常備されている吸引装置に連結されるので容易に利用でき、吸引パイプ１４は上述の取り付け手段を介してこの吸引手段に連結すればよい。
【００２９】
本発明の第一または第二の実施形態の吸引ブラシにおいて、扁平状のブロックヘッドの少なくとも扁平面の片面１１ａに植え込まれた該ブリストル２とは別にブロックヘッドの異なる箇所またはグリップ（ハンドル）１６に補助のブリストル７が植え込み配設されていてもよい。たとえば、義歯の細部をクリーニングするためには、ブロックヘッドの異なる箇所またはグリップ（ハンドル）１６に密に植毛した補助の小ブリストル７が配設されると便利である。
【００３０】
本発明の第一または第二の実施形態の吸引ブラシは、歯科技工切削加工作業時に、上記吸引ブラシに、吸引手段に連結され得る吸引パイプ４の一端部５を着脱自在に取り付け得る取り付け手段を用いて取り付けた吸引ブラシを用いて、切削屑片を吸引することにより歯科技工切削加工作業環境をクリーンに維持する方法として採用される。
【００３１】
本発明の第一または第二の実施形態の吸引義歯ブラシは、義歯切削加工作業時に、上記吸引義歯ブラシに、吸引手段に連結される吸引パイプ４の一端部５を着脱自在に取り付けうる取り付け手段を用いて取り付けた吸引義歯ブラシを用いて、切削屑片を吸引することにより義歯切削加工作業環境をクリーンに維持する方法として採用される。
【００３２】
本発明の第三の実施形態の吸引義歯ブラシは、義歯切削加工作業時に、上記吸引義歯ブラシの該グリップ１６の貫通孔１３または中空構造１３の端部１５に、吸引手段に連結される吸引パイプ１４を連結することにより、切削屑片を吸引することにより義歯切削加工作業環境をクリーンに維持する方法として採用される。
【００３３】
本発明の吸引ブラシにおいて、ブリストルまたはブロックヘッドを着色して色分けすれば、使用用途毎に、たとえば患者用，歯科医師用，技工室用などの用途毎に使い分けることができるので便利である。
【図面の簡単な説明】
【００３４】
【図１】本発明に係る吸引ブラシの斜視図（本発明の第２の実施形態）
【図２】吸引パイプを取付けた吸引ブラシの部分断面正面図（本発明の第２の実施形態）
【図３】別の実施形態の吸引ブラシの断面図（本発明の第１の実施形態）
【図４】更に別の実施形態の吸引ブラシの断面図（本発明の第３の実施形態）
【符号の説明】
【００３５】
１、１１・・・ブロックヘッド
１ａ，１１ａ・・・ブロックヘッド１または１１のブリストル植え込み面
３，１３・・・貫通孔
４，１４・・・吸引手段に接続される吸引パイプ
４ａ・・・ネジ部
５、１５・・・吸引パイプの端部
６、１６・・・グリップ
７・・・補助ブラシ
８・・・開口
【図１】
2008079925.tif 000003
【図２】
2008079925.tif 000004
【図３】
2008079925.tif 000005
【図４】
2008079925.tif 000006